(57)【要約】      （修正有）【課題】容器本体の外側面にスプーン或はフォークを脱着することの出来るスプーン等脱着部が付いたスプーン等脱着部付き容器を提供する。  【解決手段】容器本体１０或は計量用容器本体にスプーン３０或は計量用スプーン脱着可能なスプーン等脱着部２を設け、容器本体１０或は計量用容器本体にスプーン等或は計量用スプーンの頭部分３０を容器本体開口部１０１より上にして、スプーン等の柄の部分３０２を脱着部の入口部２４から脱着部２に装着することでスプーン３０或は計量用スプーンの散逸を防ぎ、探し出す時間の節約、保管スペースの縮小に役立つ。【選択図】図１
0003144897.tif 000002
【実用新案登録請求の範囲】
【請求項１】
合成樹脂製の容器本体と、容器本体の外側面に一体に形成されてスプーン或はフォークを着脱可能に装着するスプーン等脱着部とを備え、このスプーン等脱着部は、基端が容器本体の外側面に一体に形成され、中央部が容器本体の外側面に沿って楕円状に湾曲し、先端が前記外側面に近接してその外側面との間に入口部を形成するように位置づけられており、かつ、前記容器本体と同時に使用するスプーン或はフォークをスプーン或はフォークの頭部分を容器本体開口部よりも上にして、柄の部分を前記脱着部の入口部から中に向けて押圧することにより、そのスプーン等脱着部が素材の有する弾性に基づいて変形して、前記スプーン等脱着部の中央部と容器本体の外側面との間に挟み込んだ状態で、前記スプーン或はフォークを着脱可能に装着し保持し得るようになっていることを特徴とするスプーン等脱着部付き容器。
【請求項２】
請求項１に記載のスプーン等脱着部付き容器において、前記容器本体は開口部より底に向かって逆台錐形状を有している、スプーン等脱着部付き容器。
【請求項３】
請求項１又は請求項２に記載のスプーン等脱着部付き容器において、前記容器本体は計量用容器本体として構成され、前記スプーン等脱着部に装着されるスプーンとして、大計量用スプーンと小計量用スプーンとを有し、前記スプーン等脱着部は、大計量用スプーンのための第１脱着部と、前記小計量用スプーンのための第２脱着部とを備えて構成され、前記第１脱着部と第２脱着部とは容器本体の外側面に対し周方向に互いに離れた位置に配設されているスプーン等脱着部付き容器。
【請求項４】
請求項１〜請求項３のいずれかに記載のスプーン等脱着部付き容器において、前記スプーン等脱着部は上下に互いに離れて形成された２つの脱着片により構成されている、スプーン等脱着部付き容器。
【請求項５】
請求項１〜請求項４のいずれかに記載のスプーン等脱着部付き容器において、前記スプーン等脱着部の先端には、容器本体の外側面から離れる側に斜めに延びて前記スプーン或はフォークの柄の部分の押入を案内する案内部が一体に形成されている、スプーン等脱着部付き容器。
【考案の詳細な説明】
【技術分野】
【０００１】
本考案のスプーン等脱着部付き容器は容器本体の外側面にスプーン或はフォークを脱着
することの出来るスプーン等脱着部が付いたスプーン等脱着部付き容器に関するもので
す。
【背景技術】
【０００２】
飲料あるいは流動状食等を食するときに使用する容器を小児あるいは高齢者が使用する
場合、容器と同時に使用する専用のスプーン或はフォークはそれぞれ容器とは別々に保
管、管理されていました。
【０００３】
又、調理のための調味料の計量には計量用容器の他に大計量用スプーンおよび小計量用
スプーンが必要であり、それらは計量用容器とは別々に保管、管理されていました。
【考案の開示】
【考案が解決しようとする課題】
【０００４】
容器とスプーン或はフォークとが別々に保管、管理されていたため、小児あるいは高齢
者が飲料あるいは流動状食を食するとき、容器を使うときに同時に使用する専用のス  
プーン或はフォークを探し出す時間や使用後保管する場所の確保、散逸の恐れなど時間
的・場所的負担がかかり容器と同時に使う専用のスプーン或はフォークがどれであるか
を識別できる学習効果がありませんでした。従って、容器にスプーン或はフォークを脱
着できる装置を一体化させることで前記の欠点を解決しようとするものです。
【０００５】
計量用容器と計量用スプーンとが別々に保管、管理されていたため、調理のための調味
料の計量時においては、計量用容器の他、大計量用スプーンおよび小計量用スプーンの
２種類が必要であり、使用のつど探し出す手間や使用後保管する場所の確保、散逸の恐
れなど時間的・場所的負担がありました。従って、計量用容器に計量用スプーンを脱着
できる装置を一体化させることで前記の欠点を解決しようとするものです。
【課題を解決するための手段】
【０００６】
本考案のスプーン等脱着部付き容器は、合成樹脂製の容器本体と、容器本体の外側面に
一体に形成されてスプーン或はフォークを着脱可能に装着するスプーン等脱着部とを備
え、このスプーン等脱着部は、基端が容器本体の外側面に一体に形成され、中央部が容
器本体の外側面に沿って楕円状に湾曲し、先端が前記外側面に近接してその外側面との
間に入口部を形成するように位置づけられており、かつ、前記容器本体と同時に使用す
るスプーン或はフォークをスプーン或はフォークの頭部分を容器本体開口部よりも上に
して、柄の部分を前記脱着部の入口部から中に向けて押圧することにより、そのスプー
ン等脱着部が素材の有する弾性に基づいて変形して、前記スプーン等脱着部の中央部と
容器本体の外側面との間に挟み込んだ状態で、前記スプーン或はフォークを着脱可能に
装着し保持し得るようにしています。つまり、小児あるいは高齢者が容器を使用する場
合、容器と同時に使う専用のスプーン或はフォーク（以下、「スプーン等」と言う）を
使用前後に容器本体のスプーン等脱着部に対し脱着可能に装着できるようにしたもので
す。
【０００７】
前記のスプーン等脱着部は、容器本体の外側面に対し、基端が容器本体の外側面に一  
体に形成され、中央部が容器本体の外側面に沿って楕円状に湾曲し、先端が外側面との
間に入口部を形成するように位置づけられています。
【０００８】
スプーン等脱着部は２片の脱着片からなり、容器本体の上下各位置において互いに平  
行に配置しています。
【０００９】
２片の脱着片にはスプーン等の頭部分を容器本体の開口部よりも上にして、柄の部分を
それぞれ２片の脱着片の入口部から中に押圧してスプーン等を装着します。
【００１０】
前記のスプーン等脱着部は素材の弾性により、スプーン等の柄部分の押入れ圧力で押  
入れ可能に開き、押し入れを容易にします。
【００１１】
それぞれ２片の脱着片に押し入れられたスプーン等の柄部分は、脱着片を構成する素材
の弾性により安定的に装着されることで問題点を解決しています。
【００１２】
本考案の容器が、容器開口部より底に向かって逆台錐状を成す容器本体であって前記の
容器本体と同様のスプーン等脱着部を施した容器である場合においても、前記と同様に
問題を解決することが出来ます。
【００１３】
本考案の容器本体が計量用容器本体である場合には、調味料等の計量に容器と同時に使
用する大計量用スプーンおよび小計量用スプーンの２種類のスプーン等脱着部を計量用
容器本体に施すようにしました。
【００１４】
前記の大計量用スプーンおよび小計量用スプーンの２種類のスプーン脱着部は、計量用
容器本体の外側面に対し周方向に互いに離れた位置に配設されています。
【００１５】
計量用容器本体の外側面に周方向に互いに離れた位置に配設された大計量用スプーン  
のための第１脱着部及び小計量用スプーンのための第２脱着部はそれぞれが２片の脱着
片で一体に形成され、各脱着片は基端が容器本体の外側面に一体に固定され、中央部が
計量容器本体の外側面に沿って楕円状に湾曲し、先端が外側面との間に入口部を残して
位置づけされていて、脱着可能に装着されるようになって構成されています。
【００１６】
計量用容器本体と同時に使用する大計量用スプーンおよび小計量用スプーンを各々別々
にスプーンの頭部分を容器本体開口部よりも上にして、柄の部分を各脱着片の入口部か
ら中に向けて押入し脱着可能に計量用スプーンを装着することで問題点を解決していま
す。
【考案の効果】
【００１７】
前記のように本考案のスプーン等脱着部付き容器は、小児あるいは高齢者が容器と同時
に使用する専用のスプーン等を使用前後に容器外側面に付いたスプーン等脱着部に装着
することで散逸を防ぎ、探し出す手間を省き、収納スペースを少なくし、同時に使用す
る容器とスプーン等を識別する学習効果を高めるのに役立ちます。
【００１８】
本考案の容器が容器本体の開口部より底に向かって逆台錘状をなす容器である場合にお
いても、前記のスプーン等脱着部付き容器であることで前述の効果を高めるのに役立ち
ます。
【００１９】
本考案の容器が容器と同時に使用する大計量用スプーンおよび小計量用スプーン脱着部
付き計量用容器本体である場合、使用前後に計量用容器本体の外側面に周方向に互いに
離れて配設されたスプーン等脱着部に容器本体と同時に使用する大計量用スプーンおよ
び小計量用スプーンを装着することで、散逸を防ぎ、探し出す手間を省き、収納スペー
スを少なくする効果をあげています。
【考案を実施するための最良の形態】
【００２０】
＜第１実施形態＞
以下、添付図面に従って最良の形態を説明します。図１は小児あるいは高齢者が飲料あ
るいは流動状食を食するとき、使用する容器本体１０の斜視図です。
図１においてスプーン或はフォークについて示すに当り、スプーンを代表例として    
図示しています。容器本体10は合成樹脂製又は合成樹脂複合材料製（例えば繊維強化プ
ラスチック製等）により形成されているものであります。実用新案登録請求の範囲にお
ける「合成樹脂製」とはこれらの材料を総称したものであります。
【００２１】
かかる小児または高齢者用の容器本体１０とスプーン３０とは、その使用に際しては互
いに対をなして使用されるようにあらかじめ組み合わされたものであります。
【００２２】
容器本体１０を使用する前後は同時に使用するスプーン３０を容器本体１０の外側面に
付いた２片の脱着片２０により構成されたスプーン等脱着部２にスプーン柄の部分    
３０２を押入れ装着します。
【００２３】
スプーンの柄部分３０２の装着は図４における柄の部分の断面図３０３を脱着片２０の
先端案内部２３に沿って入口部２４に押入れます。
【００２４】
容器本体１０の外側面から入口部２４が外側へたわんでこれにより入口部２４と容器本
体１０の外側面との間の際間がより大きく拡大してスプーン等の柄の部分３０３が2片
の脱着片２０の内部へ入り込むことになります（図５参照）。
【００２５】
図４はスプーン等の柄部分３０３が脱着片２０へ押入れされる前段階を示す拡大断面図
です。脱着片２０の先端２３は外側面から離れる側に斜めに延びて前記スプーン等の柄
部分３０３の押入れの案内を容易にするする案内の役割を果たします。
【００２６】
図５においてはスプーンの柄３０３はその素材の有する弾性に基づいて柄の押入れ圧力
を受け入れ変形し、入口部２４は柄の部分３０３の脱着片２０内部への押入れを容易に
します。
【００２７】
押入れされたスプーン等の柄３０３は図６に示すとおり脱着片内２０に装着完了するこ
とで素材の有する弾性に基づいて中央楕円部分２２はスプーン等の柄部分３０３に密着
し、入口部分２４は元の形状に戻ります。
【００２８】
前記のとおりスプーン等の柄３０３は図１に示すようにスプーン３０は頭部分３０１を
容器本体１０の開口部１０１の上にして２片の脱着片２０に装着され安定的に固定され
ます。
【００２９】
前記のとおり、容器本体１０と同時に使用する専用のスプーン等３０を装着すること  
で、専用のスプーン等３０の散逸を防ぎ、探し出す手間を省き、収納スペースを少なく
し、同時に使用する容器本体１０とスプーン等３０を識別する学習効果を高めることが
出来ます。
【００３０】
＜第２実施形態＞
図２はスプーン等脱着部付き容器本体が容器開口部より底に向かって逆台錐状を有して
いる容器本体１１の斜面図です。図２においてスプーン或はフォークについて示すに当
り、スプーンを代表例として図示しています。
【００３１】
容器本体１１を使用する前後は同時に使用する専用のスプーン等３０を容器本体外側面
に形成された２片の脱着片２０にスプーン等の柄部分３０２を押入れ装着します。この
場合でも、第１実施形態の場合と同じ作用効果を得ることができます。
【００３２】
＜第３実施形態＞
図３は容器本体が計量用容器本体１２として構成されたもので、符号１２１で示すごと
く計量用目盛りが外側面に表示された計量用容器本体１２の斜視図です。
【００３３】
計量用容器本体１２は透明素材により形成されて外側面に計量用の目盛り１２１を印  
刷、刻設、一体形成等の手段により形成されています。この計量用容器本体１２は大計
量用スプーン３１（例えば１５ｃｃ計量用）と、小計量用スプーン（例えば５ｃｃ計量
用）３２と対をなして組み合わされています。
【００３４】
計量用容器本体１２を使用する前後は同時に使用する大計量用スプーン３１および小計
量用スプーン３２を容器本体１２の外側面に対し周方向に互いに離れた位置に構成され
る２つのスプーン等脱着部２の上下に離れた２片の脱着片２０に装着することで、計量
用容器本体１２と大計量用スプーン３１および小計量用スプーン３２の散逸を防ぎ、探
し出す手間を省き、収納スペースを少なくすることが出来ます。
【００３５】
＜他の実施形態＞
なお、以上の第１〜第３の各実施形態においては、スプーンと脱着部２の入口部２４は
先端２３と容器本体の外側面１０２とが通常時は接触して、案内部２３に当ったスプー
ン等の柄の部分３０３から押入れ圧力を受けることにより、容器本体１０、１１、１２
の外側面１０２から離れて開くようにしてもよい。
【図面の簡単な説明】
【００３６】
【図１】本考案のスプーン等脱着部付き容器が円筒状をなす容器本体の実施例を示す斜          視図です。
【図２】本考案のスプーン等脱着部付き容器が容器開口部より底に向かって逆台錐状を          なすスプーン等脱着部付き容器本体の実施例を示す斜視図です。
【図３】本考案のスプーン等脱着部付き容器が計量用容器本体の実施例を示す斜視図で          す。
【図４】容器本体に形成されるスプーン等脱着部へスプーン等の柄部分が押圧される状          態を示す拡大断面図です。
【図５】容器本体に形成されるスプーン等脱着部へスプーン等の柄部分を押圧しつつあ          る状態を示す拡大断面図です。
【図６】容器本体に形成されるスプーン等脱着部へスプーン等の柄部分が押圧され装着          された後の状態を示す拡大断面図です。
【符号の説明】
【００３７】
２  スプーン等脱着部
１０  スプーン等脱着部付き容器本体
１１  スプーン等脱着部付き容器本体が開口部に向けて逆台錐状をなすスプーン
等脱着部付き容器本体
１２  スプーン等脱着部付き容器本体が大計量用スプーンおよび小計量用スプー
ンを装着し得るように構成されたスプーン等脱着部付き計量用容器本体
１０１容器本体の開口部
１０２容器本体の外側面
１０３容器本体の取手
１０４容器本体の底外側
１２１計量用容器本体表面に印刷、刻設された計量目盛り
２０  スプーン等脱着片
２１  スプーン等脱着部の基端部分
２２  スプーン等脱着部の中央楕円部分
２３  スプーン等脱着部の先端部分
２４  スプーン等脱着部の入口部
２５  スプーン等脱着部の厚み
３０  容器本体と同時に使用するスプーン
３１  計量用容器本体と同時に使用する大計量用スプーン
３２  計量用容器本体と同時に使用する小計量用スプーン
３０１スプーンの頭部分
３０２スプーンの柄の部分
３０３スプーンの柄の断面図
３１１大計量用スプーンの頭部分
３２１小計量用スプーンの頭部分
【図１】
0003144897.tif 000003
【図２】
0003144897.tif 000004
【図３】
0003144897.tif 000005
【図４】
0003144897.tif 000006
【図５】
0003144897.tif 000007
【図６】
0003144897.tif 000008